(57)【要約】【課題】同一の設備を複数人が順に使用するに際して携帯端末を機器の鍵として使用可能にした共用システム及び機器共用方法を提供する。【解決手段】第１許可部２７は、例えば宅配業者の第１携帯端末８ａから鍵発行依頼を入力すると、共用宅配ボックス２のロッカー３を施錠する際に必要な第１鍵情報Ｄｋ１を第１携帯端末８ａに発行する。宅配業者は、荷物を共用宅配ボックス２に収納後、第１携帯端末８ａによってロッカー３を施錠する。第２許可部２８は、荷物が収納されたロッカー３を解錠する際に必要な第２鍵情報Ｄｋ２を、ユーザの第２携帯端末８ｂに発行する。ユーザは、第２携帯端末８ｂによってロッカー３を解錠し、ロッカー３内の荷物を受け取る。【選択図】図２
2019191884.tif 000002
【特許請求の範囲】
【請求項１】
共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じた前記機器の作動が可能となる共用システムであって、
ユーザによる前記機器の利用手続きが済んでいる場合に、第１鍵情報を第１携帯端末に付与して、当該第１携帯端末による前記機器の操作を可能とする第１許可部と、
前記第１鍵情報とは別の第２鍵情報を第２携帯端末に付与することにより、前記第１携帯端末による前記機器の使用後においての前記第２携帯端末による前記機器の操作を可能にする第２許可部と
を備えた共用システム。
【請求項２】
前記第１携帯端末は、ユーザではない別使用者が使用する端末であり、
前記第２携帯端末は、前記機器の利用手続きをした前記ユーザが使用する端末である
請求項１に記載の共用システム。
【請求項３】
前記第２許可部は、前記第１携帯端末による前記機器の使用が済んだ場合、その旨を前記第２携帯端末に通知する
請求項１又は２に記載の共用システム。
【請求項４】
前記第２許可部は、前記第２携帯端末による前記機器の使用が済んだ場合、その旨を前記第１携帯端末に通知する
請求項１〜３のうちいずれか一項に記載の共用システム。
【請求項５】
前記機器が設けられた設備は、共用宅配ボックスであり、
前記携帯端末による前記設備の操作は、前記共用宅配ボックスに設けられたロッカーの施錠又は解錠の操作である
請求項１〜４のうちいずれか一項に記載の共用システム。
【請求項６】
共用される機器の使用時に必要な鍵情報を取り込んだ携帯端末によって前記機器を作動させる場合に、前記機器に設けられた認証装置と前記携帯端末とで認証が実行され、当該認証が成立すれば、前記認証装置を通じた前記機器の作動が可能となる機器共用方法であって、
ユーザによる前記機器の利用手続きが済んでいる場合に、第１鍵情報を第１携帯端末に付与して、当該第１携帯端末による前記機器の操作を可能とするステップと、
前記第１鍵情報とは別の第２鍵情報を第２携帯端末に付与することにより、前記第１携帯端末による前記機器の使用後においての前記第２携帯端末による前記機器の操作を可能にするステップと
を備えた機器共用方法。
【発明の詳細な説明】
【技術分野】
【０００１】
本発明は、機器の共用サービスを提供する共用システム及び機器共用方法に関する。
【背景技術】
【０００２】
従来、各ユーザが所持する高機能携帯電話等の携帯端末に鍵情報を登録して、この携帯端末で設備を作動させる共用システムが周知である（特許文献１等参照）。この共用システムの一例として、例えばカーシェアリングシステムが存在する。このカーシェアリングシステムでは、例えばカーシェア使用の登録を予め行っておき、例えば携帯端末（高機能携帯電話等）で車両の利用予約を行った上で、予約時間内において車両の使用が許可される。
【先行技術文献】
【特許文献】
【０００３】
【特許文献１】特開２０１５−２１８５０１号公報
【発明の概要】
【発明が解決しようとする課題】
【０００４】
ところで、近年、荷物の収受サービスの一環として、例えば集合住宅設備、駅、郵便局等の共用のロッカーで荷物を受け取りや差し出しを可能とする共用宅配ボックスが知られている。そこで、この種の共用宅配ボックス等の共用の設備において、ユーザが所持する携帯端末（例えば高機能携帯電話等）をロッカーの鍵として使用して、荷物の受け取り等を行いたいニーズがあった。
【０００５】
本発明の目的は、同一の設備を複数人が順に使用するに際して携帯端末を機器の鍵として使用可能にした共用システム及び機器共用方法を提供することにある。
【課題を解決するための手段】
【０００６】
前記問題点を解決する共用システムは、共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じた前記機器の作動が可能となる構成であって、ユーザによる前記機器の利用手続きが済んでいる場合に、第１鍵情報を第１携帯端末に付与して、当該第１携帯端末による前記機器の操作を可能とする第１許可部と、前記第１鍵情報とは別の第２鍵情報を第２携帯端末に付与することにより、前記第１携帯端末による前記機器の使用後においての前記第２携帯端末による前記機器の操作を可能にする第２許可部とを備えた。
【０００７】
本構成によれば、第１携帯端末で機器を操作するにあたっては、第１携帯端末に第１鍵情報を登録し、この操作を実行させる。また、第１携帯端末による機器の使用後、第２鍵情報が登録された第２携帯端末を用いて、機器の操作を行う。よって、同一の機器を複数人が順に使用するに際し、各人の携帯端末を機器の鍵として使用することが可能となる。
【０００８】
前記共用システムにおいて、前記第１携帯端末は、ユーザではない別使用者が使用する端末であり、前記第２携帯端末は、前記機器の利用手続きをした前記ユーザが使用する端末であることが好ましい。この構成によれば、別使用者に機器を操作させ、その後、ユーザが機器を操作する使用順をとることが可能となる。
【０００９】
前記共用システムにおいて、前記第２許可部は、前記第１携帯端末による前記機器の使用が済んだ場合、その旨を前記第２携帯端末に通知することが好ましい。この構成によれば、第１携帯端末による機器の使用が済んだ場合に、その旨が第２携帯端末に自動で通知される。よって、第２携帯端末の所持者は、第１携帯端末による機器の使用が済んだことを直ぐに知ることが可能となる。
【００１０】
前記共用システムにおいて、前記第２許可部は、前記第２携帯端末による前記機器の使用が済んだ場合、その旨を前記第１携帯端末に通知することが好ましい。この構成によれば、第２携帯端末による機器の使用が済んだ場合に、その旨が第１携帯端末に自動で通知される。よって、第１携帯端末の所持者は、第２携帯端末による機器の使用が済んだことを直ぐに知ることが可能となる。
【００１１】
前記共用システムにおいて、前記機器が設けられた設備は、共用宅配ボックスであり、前記携帯端末による前記設備の操作は、前記共用宅配ボックスに設けられたロッカーの施錠又は解錠の操作であることが好ましい。この構成によれば、例えば宅配業者が共用宅配ボックスに荷物を収納し、荷物の収納後、第１携帯端末で共用宅配ボックスのロッカーを施錠する。その後、荷物の宅配を依頼したユーザが第２携帯端末で共用宅配ボックスのロッカーを解錠し、ロッカー内の荷物を受け取る。このように、共用宅配ボックスにインターネット回線を設置することなく、携帯端末を利用した態様で、共用宅配ボックスへの荷物の収納から受け取りまでを実現することが可能となる。
【００１２】
前記問題点を解決する機器共用方法は、共用される機器の使用時に必要な鍵情報を取り込んだ携帯端末によって前記機器を作動させる場合に、機器側に設けられた認証装置と前記携帯端末とで認証が実行され、当該認証が成立すれば、前記認証装置を通じた前記機器の作動が可能となる方法であって、ユーザによる前記機器の利用手続きが済んでいる場合に、第１鍵情報を第１携帯端末に付与して、当該第１携帯端末による前記機器の操作を可能とするステップと、前記第１鍵情報とは別の第２鍵情報を第２携帯端末に付与することにより、前記第１携帯端末による前記機器の使用後においての前記第２携帯端末による前記機器の操作を可能にするステップとを備えた。
【発明の効果】
【００１３】
本発明によれば、同一の設備を複数人が順に使用するに際して携帯端末を機器の鍵として使用することができる。
【図面の簡単な説明】
【００１４】
【図１】一実施形態の共用宅配ボックスの概要図。
【図２】共用システムの構成図。
【図３】共用宅配ボックスの使用手順を示すフローチャート。
【図４】図３の続きの使用手順を示すフローチャート。
【発明を実施するための形態】
【００１５】
以下、共用システム及び機器共用方法の一実施形態を図１〜図４に従って説明する。
図１に示すように、複数人で共用される設備１は、自宅外の場所での荷物の受け取りや差し出しを可能にする共用宅配ボックス２である。共用宅配ボックス２は、荷物を入れる複数のロッカー３を備える。共用宅配ボックス２は、例えばユーザが指定したロッカー３に宅配業者等が荷物を入れ、都合の付くときにユーザがロッカー３内の荷物を受け取ることができる。共用宅配ボックス２は、例えば集合住宅設備（マンションやアパート）、駅、郵便局等に設置されている。
【００１６】
図２に示すように、共用宅配ボックス２は、予約した規定時間内の間、各ユーザが所持する携帯端末８で機器７、すなわち共用宅配ボックス２のロッカー３を操作できるようにする共用システム９を備える。本例の共用システム９は、例えば暗号化された鍵情報Ｄｋを外部（本例はデータセンター１０）から携帯端末８に登録し、共用宅配ボックス２に設けた認証装置１１との間で鍵情報Ｄｋの認証を実行し、その認証結果を共用宅配ボックス２の操作可否の１条件とするものである。鍵情報Ｄｋは、例えば利用時間制限の要素が入った鍵の一種である。鍵情報Ｄｋは、使用が一度又は一定期間のみ許可されたワンタイムキー（ワンタイムパスワード）であることが好ましい。
【００１７】
携帯端末８は、携帯端末８の作動を制御する端末制御部１３と、携帯端末８においてネットワーク通信を行うネットワーク通信モジュール１４と、携帯端末８において近距離無線通信を行う近距離無線モジュール１５と、データ書き込み及び書き替えが可能なメモリ１６とを備える。携帯端末８は、データセンター１０からネットワーク通信を通じて鍵情報Ｄｋを取得した場合、この鍵情報Ｄｋをメモリ１６に書き込み保存する。近距離無線通信は、例えばブルートゥース（Bluetooth：登録商標）であることが好ましい。
【００１８】
携帯端末８は、携帯端末８において共用システム９の作動を管理するユーザインターフェースアプリケーション１７を備える。ユーザインターフェースアプリケーション１７は、例えばデータセンター１０からダウンロードされるなどして、端末制御部１３に設けられる。ユーザインターフェースアプリケーション１７は、例えば共用宅配ボックス２の利用手続き（個人認証、予約手続き）や、共用宅配ボックス２のロッカー３の施解錠作動など、種々の処理を実行する。
【００１９】
認証装置１１は、携帯端末８に登録された鍵情報Ｄｋの正否を認証する鍵情報認証部２０と、共用宅配ボックス２に設けられコントローラ２１を通じて共用宅配ボックス２を作動させる制御処理部２２と、データ書き込み及び書き替えが可能なメモリ２３とを備える。鍵情報認証部２０は、携帯端末８から近距離無線通信を通じて鍵情報Ｄｋを取得し、この鍵情報Ｄｋを認証する。鍵情報認証部２０は、鍵情報Ｄｋの認証が成立に移行した場合、制御処理部２２の作動を有効にする。
【００２０】
制御処理部２２は、作動が有効となっている場合、携帯端末８から近距離無線を通じて共用宅配ボックス２の操作要求を受信すると、これをコントローラ２１に出力する。コントローラ２１は、制御処理部２２から入力した操作要求を基に、共用宅配ボックス２のロッカー３の作動（例えば施錠等）を実行する。このように、コントローラ２１は、制御処理部２２からの各種要求に応じて、ロッカー３を作動させるものである。
【００２１】
共用システム９は、例えば業者等が所持する第１携帯端末８ａと、ユーザが所持する第２携帯端末８ｂとの協同により共用宅配ボックス２での荷物の受け渡しを可能にする機能（荷物受け渡し機能）を備える。第１携帯端末８ａは、前述の携帯端末８の一種（高機能携帯電話等）であり、宅配業者等に使用されるものである。また、第２携帯端末８ｂも、携帯端末８の一種（高機能携帯電話等）であり、荷物の宅配を依頼したユーザによって使用されるものである。
【００２２】
共用システム９は、第１携帯端末８ａに設備１の使用を許可する際に作動する第１許可部２７を備える。第１許可部２７は、データセンター１０に設けられている。本例の第１許可部２７は、ユーザによる共用宅配ボックス２の利用手続きが済んでいる場合に、第１鍵情報Ｄｋ１を第１携帯端末８ａに付与して、第１携帯端末８ａによる共用宅配ボックス２の操作を可能とする。
【００２３】
共用システム９は、第２携帯端末８ｂに設備１の使用を許可する際に作動する第２許可部２８を備える。第２許可部２８は、データセンター１０に設けられている。本例の第２許可部２８は、第１鍵情報Ｄｋ１とは別の第２鍵情報Ｄｋ２を第２携帯端末８ｂに付与することにより、第１携帯端末８ａによる共用宅配ボックス２の使用後において第２携帯端末８ｂによる共用宅配ボックス２の操作を可能にする。
【００２４】
次に、図３及び図４を用いて、本実施形態の共用システム９の作用及び効果について説明する。
図３に示すように、ステップ１０１において、第１携帯端末８ａ（第１携帯端末８ａを所持する宅配業者等）は、例えば宅配注文を行ったユーザによって指定された共用宅配ボックス２を認識する。この認識は、例えばお客が物品を注文した業者等から、指定された共用宅配ボックス２の情報を第１携帯端末８ａで受け付けるなど、種々の態様が採用できる。
【００２５】
ステップ１０２において、第１携帯端末８ａ（第１携帯端末８ａを所持する宅配業者等）は、共用宅配ボックス２の指定を行ったユーザの宅配先情報Ｓａを取得する。宅配先情報Ｓａは、荷物の宅配を依頼したユーザの住所、氏名、電話番号等の情報であることが好ましい。宅配先情報Ｓａは、例えば荷物のＱＲコード（商標登録）等を第１携帯端末８ａで読み取るなどして取得される。
【００２６】
ステップ１０３において、第１携帯端末８ａ（第１携帯端末８ａを所持する宅配業者等）は、荷物を入れるロッカー（収納先ロッカー３ａ）の利用手続きを実行する。この利用手続きには、宅配業者の正否を確認する本人認証と、共用宅配ボックス２の予約手続きとが含まれる。本人認証きでは、例えば宅配業者ＩＤやパスワードが入力される。予約手続きでは、例えば利用する共用宅配ボックス２、空いている収納先ロッカー３ａ、宅配業者による使用の予約日時が入力される。
【００２７】
ステップ１０４において、第１携帯端末８ａ（第１携帯端末８ａを所持する宅配業者等）は、収納先ロッカー３ａの鍵発行依頼と、ステップ１０２で取得した宅配先情報Ｓａとを、ネットワーク通信を通じてデータセンター１０に送信する。鍵発行依頼には、本人認証の作業時に入力した宅配業者ＩＤ及びパスワード、予約手続き時に入力した共用宅配ボックス２、収納先ロッカー３ａ、予約日時などが含まれる。
【００２８】
ステップ１０５において、データセンター１０の第１許可部２７は、第１携帯端末８ａから収納先ロッカー３ａの鍵発行依頼と宅配先情報Ｓａとを受信すると、共用宅配ボックス２の予約確認を実行する。本例の場合、まず、第１許可部２７は、鍵発行依頼に含まれる宅配業者ＩＤ及びパスワードを確認することにより、宅配業者の本人認証を実行する。そして、第１許可部２７は、鍵発行依頼により指定された共用宅配ボックス２が、お客（宅配先情報Ｓａから確認したお客）が指定した共用宅配ボックス２と一致するか否かを確認する。
【００２９】
ステップ１０６において、第１許可部２７は、共用宅配ボックス２の予約確認がとれた場合、第１携帯端末８ａで共用宅配ボックス２を操作するのに必要な鍵情報Ｄｋ（第１鍵情報Ｄｋ１）を生成する。本例の場合、第１許可部２７は、例えば予約手続き時に取得した情報を用いて、第１鍵情報Ｄｋ１を生成する。本例の第１鍵情報Ｄｋ１は、例えば「予約日時」、「端末ＩＤ」、「ユーザ認証鍵」などを平文とし、例えば共用宅配ボックス２に設けられた認証装置１１の暗号鍵（例えば認証装置固有鍵）を暗号化鍵として、これらを暗号式（暗号アルゴリズム）に通すことにより生成された暗号文からなる。端末ＩＤは、第１携帯端末８ａの固有ＩＤである。ユーザ認証鍵は、例えば第１携帯端末８ａでロッカー３の作動を行うときに、第１携帯端末８ａ及び認証装置１１の間で暗号通信される鍵の一種である。
【００３０】
ステップ１０７において、第１許可部２７は、第１鍵情報Ｄｋ１を生成すると、収納先ロッカー３ａと宅配先情報Ｓａとを紐付けする。これにより、収納先ロッカー３ａと宅配先情報Ｓａとの関係が一義的に決まる。
【００３１】
ステップ１０８において、第１許可部２７は、生成した第１鍵情報Ｄｋ１を、ネットワーク通信を通じて第１携帯端末８ａに送信する。第１携帯端末８ａは、データセンター１０から第１鍵情報Ｄｋ１を受信すると、これをメモリ１６に保存する。これにより、第１携帯端末８ａには、共用宅配ボックス２の収納先ロッカー３ａを使用する際に必要な第１鍵情報Ｄｋ１が登録される。
【００３２】
ステップ１０９において、第１携帯端末８ａは、共用宅配ボックス２（認証装置１１）に接近する。
ステップ１１０において、第１携帯端末８ａは、共用宅配ボックス２に接近すると、共用宅配ボックス２に設置された認証装置１１との間で、近距離無線通信の接続と、第１鍵情報Ｄｋ１の認証とを実行する。近距離無線通信は、認証装置１１から定期送信されるアドバタイズを第１携帯端末８ａが受信すると、第１携帯端末８ａがコネクトリクエストを認証装置１１に自動で返信することにより、通信が接続される。
【００３３】
第１携帯端末８ａは、認証装置１１と近距離無線通信が接続されると、第１鍵情報Ｄｋ１の認証を実行する。このとき、第１携帯端末８ａは、メモリ１６に登録された第１鍵情報Ｄｋ１を、近距離無線通信を通じて認証装置１１に送信する。第１鍵情報Ｄｋ１は、例えばＢＬＥ（Bluetooth Low Energy）を通じて認証装置１１に送信される。
【００３４】
認証装置１１は、第１携帯端末８ａから第１鍵情報Ｄｋ１を受信すると、第１鍵情報Ｄｋ１を認証する。本例の場合、鍵情報認証部２０は、暗号鍵（例えば認証装置固有鍵）を用いて第１鍵情報Ｄｋ１を復号し、この復号が成功したか否かを確認する。このとき、第１鍵情報Ｄｋ１の復号が成功すれば、第１鍵情報Ｄｋ１に含まれていた「予約日時」、「端末ＩＤ」、「ユーザ認証鍵」などを取得することができる。これにより、予約した規定時間の間、第１携帯端末８ａで共用宅配ボックス２を操作できるようになる。
【００３５】
認証装置１１は、第１鍵情報Ｄｋ１の認証が成功すれば、第１鍵情報Ｄｋ１の「認証完了状態」に移行し、制御処理部２２の作動が有効となる。よって、制御処理部２２は、コントローラ２１を介したロッカー３（収納先ロッカー３ａ）の作動（例えば施錠）が実行可能となる。また、認証装置１１は、第１鍵情報Ｄｋ１の認証が成立した場合、第１鍵情報Ｄｋ１やユーザ認証鍵をメモリ２３に書き込み保存する。
【００３６】
第１携帯端末８ａは、第１鍵情報Ｄｋ１の認証が成立すると、画面上に「収納可」の旨を、収納先ロッカー３ａの番号とともに表示することが好ましい。こうすれば、宅配業者は、第１携帯端末８ａの画面を見れば、どのロッカー３に荷物を入れればよいのかが直ぐに分かる。
【００３７】
ステップ１１１において、第１携帯端末８ａ（第１携帯端末８ａを所持する宅配業者等）は、収納先ロッカー３ａに荷物が収納された後、収納先ロッカー３ａの施錠を要求する施錠命令を、近距離無線を通じて認証装置１１に送信する。本例の場合、例えば第１携帯端末８ａのディスプレイに施錠要求ボタンを表示し、同ボタンが操作された場合に施錠命令が第１携帯端末８ａから認証装置１１に送信されることが好ましい。施錠命令は、例えば施錠を指示するコマンドと、収納先ロッカー３ａの番号などを含む命令からなる。施錠命令は、第１携帯端末８ａのユーザ認証鍵により暗号化されて送信される。
【００３８】
ステップ１１２において、認証装置１１は、第１携帯端末８ａから施錠命令を受信すると、これをコントローラ２１に出力する。
ステップ１１３において、コントローラ２１は、認証装置１１から施錠命令を入力すると、収納先ロッカー３ａに施錠命令を出力する。
【００３９】
ステップ１１４において、収納先ロッカー３ａは、コントローラ２１から施錠命令を入力すると、荷物検知の検知結果を確認する。荷物検知は、例えばロッカー３内に設置された赤外線センサ等の出力を用いて実行する。
【００４０】
ステップ１１５において、収納先ロッカー３ａは、荷物検知が「無→有」に変化していれば、ロッカー扉を施錠する。これにより、宅配業者により荷物が入れられた収納先ロッカー３ａが施錠される。
【００４１】
ステップ１１６において、収納先ロッカー３ａは、ロッカー扉が施錠されたことを通知する施錠応答をコントローラ２１に出力する。施錠応答は、例えば施錠されたロッカー３（収納先ロッカー３ａ）の番号と、施錠された旨の通知とを含む応答からなる。
【００４２】
ステップ１１７において、コントローラ２１は、収納先ロッカー３ａから入力した施錠応答を認証装置１１に出力する。
ステップ１１８において、認証装置１１は、コントローラ２１から入力した施錠応答を、近距離無線を通じて第１携帯端末８ａに送信する。施錠応答は、認証装置１１のユーザ認証鍵により暗号化されて送信される。
【００４３】
ステップ１１９において、第１携帯端末８ａ（第１携帯端末８ａを所持する宅配業者等）は、認証装置１１から施錠応答を受信すると、荷物収納が完了した旨の収納通知を、ネットワーク通信を通じてデータセンター１０に送信する。収納通知は、例えば荷物を収納したロッカー３（収納先ロッカー３ａ）の番号と、施錠完了の旨の通達とを含む通知からなる。
【００４４】
図４に示すように、ステップ１２０において、データセンター１０は、第１携帯端末８ａから収納通知を受信すると、収納先ロッカー３ａと宅配先情報Ｓａとを紐付けする。すなわち、先に実行した紐付け（ステップ１０７）と一致するか否かを確認する。
【００４５】
ステップ１２１において、データセンター１０の第２許可部２８は、収納先ロッカー３ａと宅配先情報Ｓａとの紐付けの確認後、荷物が共用宅配ボックス２に収納された旨を通知する荷物収納連絡を、ネットワーク通信を通じて第２携帯端末８ｂに送信する。
【００４６】
ステップ１２２において、第２携帯端末８ｂ（第２携帯端末８ｂの所持者）は、データセンター１０から荷物収納連絡を受信すると、荷物の受け取り手続きを実行する。このように、本例の場合、データセンター１０から第２携帯端末８ｂに荷物収納連絡を送信することにより、ユーザが指定した共用宅配ボックス２に荷物が収納されたことを、第２携帯端末８ｂに自動で通知する。
【００４７】
第２携帯端末８ｂは、受信した荷物収納連絡を画面上で開く操作が行われると、第２携帯端末８ｂで収納先ロッカー３ａを解錠するのに必要な鍵情報Ｄｋ（第２鍵情報Ｄｋ２）を取得する鍵情報取得操作をユーザに実行させる。第２鍵情報Ｄｋ２は、宅配業者が取得した第１鍵情報Ｄｋ１とは別の値を持つ鍵である。本例の場合、第２携帯端末８ｂは、荷物収納連絡を画面上で開く操作が行われると、鍵情報取得画面をディスプレイ表示する。この鍵情報取得画面では、鍵情報取得操作として、例えばユーザの本人認証に必要なデータ（ユーザＩＤ、パスワード等）の入力や、荷物受け取りの予約手続きに関するデータ（荷物受け取りの共用収納ボックス２、予約日時等）の入力や、宅配先情報Ｓａ（ユーザの住所、氏名、電話番号等）の入力がユーザに課される。
【００４８】
ステップ１２３において、第２携帯端末８ｂは、鍵情報取得画面において第２鍵情報Ｄｋ２の取得に必要な各種データが入力された場合、同画面において鍵情報取得画面で鍵情報取得の要求操作が実行されたことを検出すると、収納先ロッカー３ａの第２鍵情報Ｄｋ２の発行を要求する鍵発行依頼と、鍵情報取得画面に入力された宅配先情報Ｓａとを、ネットワーク通信を通じてデータセンター１０に送信する。鍵発行依頼は、鍵情報取得操作の際に入力されたユーザＩＤ、パスワード、受け取りの予約日時等を含む情報からなる。
【００４９】
ステップ１２４において、データセンター１０の第２許可部２８は、第２携帯端末８ｂから鍵発行依頼及び宅配先情報Ｓａを受信すると、収納先ロッカー３ａと宅配先情報Ｓａとの紐付けから、第２鍵情報Ｄｋ２を生成する。本例の場合、まず第２許可部２８は、宅配先情報Ｓａを確認することにより、荷物収納先ロッカー（収納先ロッカー３ａ）を把握する。そして、第２許可部２８は、例えば共用宅配ボックス２に設けられた認証装置１１の暗号鍵（例えば認証装置固有鍵）と鍵発行依頼の各情報とを使用して、第２鍵情報Ｄｋ２を生成する。本例の第２鍵情報Ｄｋ２は、例えば「予約日時」、「端末ＩＤ」、「ユーザ認証鍵」、「荷物収納先ロッカー」などを平文とし、例えば共用宅配ボックス２に設けられた認証装置１１の暗号鍵（例えば認証装置固有鍵）を暗号化鍵として、これらを暗号式（暗号アルゴリズム）に通すことにより生成された暗号文からなる。端末ＩＤは、第２携帯端末８ｂの固有ＩＤである。ユーザ認証鍵は、例えば第２携帯端末８ｂで収納先ロッカー３ａの作動を行うときに、第２携帯端末８ｂ及び認証装置１１の間で暗号通信される鍵の一種である。
【００５０】
ステップ１２５において、第２許可部２８は、生成した第２鍵情報Ｄｋ２を、ネットワーク通信を通じて第２携帯端末８ｂに送信する。第２携帯端末８ｂは、データセンター１０から第２鍵情報Ｄｋ２を受信すると、これをメモリ１６に保存する。これにより、第２携帯端末８ｂには、収納先ロッカー３ａを使用する際に必要な第２鍵情報Ｄｋ２が登録される。
【００５１】
ステップ１２６において、第２携帯端末８ｂは、共用宅配ボックス２（認証装置１１）に接近する。
ステップ１２７において、第２携帯端末８ｂは、共用宅配ボックス２に接近すると、共用宅配ボックス２に設置された認証装置１１との間で、近距離無線の接続と、第２鍵情報Ｄｋ２の認証とを実行する。なお、このときの近距離無線の接続、及び第２鍵情報Ｄｋ２の認証は、ステップ１１０と同様の処理であるので、説明を省略する。
【００５２】
ステップ１２８において、第２携帯端末８ｂは、認証装置１１との間で第２鍵情報Ｄｋ２の認証が成立すると、収納先ロッカー３ａの解錠を要求する解錠命令を、近距離無線を通じて認証装置１１に送信する。本例の場合、例えば第２携帯端末８ｂのディスプレイに解錠要求ボタンを表示し、同ボタンが操作された場合に解錠命令が第２携帯端末８ｂから認証装置１１に送信されることが好ましい。解錠命令は、例えば施錠を指示するコマンドと、収納先ロッカー３ａの番号などを含む命令からなる。また、解錠命令は、第２携帯端末８ｂのユーザ認証鍵により暗号化されて送信される。
【００５３】
ステップ１２９において、認証装置１１は、第２携帯端末８ｂから解錠命令を受信すると、これをコントローラ２１に出力する。
ステップ１３０において、コントローラ２１は、認証装置１１から解錠命令を入力すると、収納先ロッカー３ａに解錠命令を出力する。
【００５４】
ステップ１３１において、収納先ロッカー３ａは、コントローラ２１から解錠命令を入力すると、この解錠命令の入力を契機に、ロッカー扉を解錠する。これにより、収納先ロッカー３ａのロッカー扉を開けることが可能となり、収納された荷物を受け取ることができる。
【００５５】
ステップ１３２において、収納先ロッカー３ａは、ロッカー扉の解錠後、荷物検知の検知結果を監視する。このとき、収納先ロッカー３ａは、荷物検知が「有→無」に変化すれば、ロッカー扉が解錠されたことを通知する解錠応答をコントローラ２１に出力する。解錠応答は、例えば解錠されたロッカー３（収納先ロッカー３ａ）の番号と、解錠された旨の通知とを含む応答からなる。
【００５６】
ステップ１３３において、コントローラ２１は、収納先ロッカー３ａから入力した解錠応答を認証装置１１に出力する。
ステップ１３４において、認証装置１１は、コントローラ２１から入力した解錠応答を、近距離無線を通じて第２携帯端末８ｂに送信する。解錠応答は、認証装置１１のユーザ認証鍵により暗号化されて送信される。
【００５７】
ステップ１３５において、第２携帯端末８ｂ（第２携帯端末８ｂの所持者）は、認証装置１１から解錠応答を受信すると、収納先ロッカー３ａの荷物が受け取られた旨を通達する受取通知を、ネットワーク通信を通じてデータセンター１０に送信する。受取通知は、例えば宅配の依頼をしたユーザに関する宅配先情報Ｓａと、荷物が受け取られたロッカー３（収納先ロッカー３ａ）とが含まれる通知である。
【００５８】
ステップ１３６において、データセンター１０は、第２携帯端末８ｂから受取通知を受信すると、宅配履歴を保存する。本例の場合、例えば荷物を受け取ったユーザと、荷物が受け取られたロッカー３と、受け取り日時とが紐付けされて保存される。また、データセンター１０は、ユーザや宅配業者の携帯端末８（第１携帯端末８ａ、第２携帯端末８ｂ）から取得した収納先ロッカー３ａと宅配先情報Ｓａとを消去する。
【００５９】
ステップ１３７において、データセンター１０は、収納先ロッカー３ａの荷物がユーザによって受け取られた旨を業者に知らせる受取通知を、ネットワーク通信を通じて第１携帯端末８ａに送信する。第１携帯端末８ａ（第１携帯端末８ａを所持する宅配業者）は、データセンター１０から受取通知を受信すると、荷物受け取り完了の旨を画面等に表示する。このように、お客が荷物を受け取った場合には、その受取通知が宅配業者に自動で届くので、共用宅配ボックス２に入れた荷物がユーザによって受け取られたことが宅配業者は直ぐに分かる。
【００６０】
さて、本例の場合、第１携帯端末８ａで共用宅配ボックス２を操作（ロッカー３の施錠）するにあたっては、第１携帯端末８ａに第１鍵情報Ｄｋ１を登録して、この操作を実行させる。また、第１携帯端末８ａによる共用宅配ボックス２の使用後、第２鍵情報Ｄｋ２が登録された第２携帯端末８ｂを用いて、共用宅配ボックス２の操作（ロッカー３の解錠）を行う。よって、同一の共用宅配ボックス２を複数人が順に使用するに際し、各人の携帯端末８（第１携帯端末８ａ、第２携帯端末８ｂ）を共用宅配ボックス２のロッカー３の鍵として使用することができる。
【００６１】
また、共用宅配ボックス２にインターネット回線等を設けることなく、共用宅配ボックス２において従来と同様の荷物の収納から受け取りまでのサービスを提供することができる。よって、インターネット回線が不要であれば、その分、運用コストも低く済む。
【００６２】
ここで、例えば共用宅配ボックス２を非インターネット対応とした場合を想定する。この場合、例えば荷物の収納や受け取りに際して暗証番号の入力を課す暗証番号入力タイプが考えられる。しかし、暗証番号入力タイプの場合、例えば暗証番号をユーザに通知する際の通知ミス、荷物受け取り側がしていたロッカーとは異なるロッカーに荷物を収納してしまう収納ミス、荷物の収納や受け取りの連絡忘れ、暗証番号の不正などの各種問題が発生する可能性がある。しかし、本例の共用システム９を採用すれば、これら問題は生じない。
【００６３】
第１携帯端末８ａは、ユーザではない別使用者（宅配業者）が使用する端末である。第２携帯端末８ｂは、ロッカー３（共用宅配ボックス２）の利用手続きをしたユーザが使用する端末である。よって、別使用者（宅配業者）にロッカー３（共用宅配ボックス２）を操作させ、その後、ユーザがロッカー３（共用宅配ボックス２）を操作する使用順をとることができる。
【００６４】
第２許可部２８は、第１携帯端末８ａによるロッカー３（共用宅配ボックス２）の使用、すなわち共用宅配ボックス２に荷物を収納して施錠する操作が済んだ場合、その旨を第２携帯端末８ｂに通知する。このように、第１携帯端末８ａによるロッカー３（共用宅配ボックス２）の使用が済んだ場合に、その旨が第２携帯端末８ｂに自動で通知される。よって、荷物の宅配を依頼したユーザは、第１携帯端末８ａによるロッカー３（共用宅配ボックス２）の使用、すなわち荷物の収納が済んだことを、直ぐに知ることができる。
【００６５】
第２許可部２８は、第２携帯端末８ｂによるロッカー３（共用宅配ボックス２）の使用、すなわち共用宅配ボックス２のロッカー３が解錠されて荷物を受け取る操作が済んだ場合、その旨を第１携帯端末８ａに通知する。このように、第２携帯端末８ｂによるロッカー３（共用宅配ボックス２）の使用が済んだ場合に、その旨が第１携帯端末８ａに自動で通知される。よって、宅配業者は、第２携帯端末８ｂによるロッカー３（共用宅配ボックス２）の使用、すなわち荷物の受け取りが済んだことを、直ぐに知ることができる。
【００６６】
設備１は、共用宅配ボックス２である。携帯端末８による共用宅配ボックス２の操作は、ロッカー３の施錠又は解錠の操作である。この場合、まず宅配業者が共用宅配ボックス２に荷物を収納し、荷物の収納後、第１携帯端末８ａで共用宅配ボックス２のロッカー３を施錠する。その後、荷物の宅配を依頼したユーザが第２携帯端末８ｂでロッカー３を解錠し、ロッカー３内の荷物を受け取る。このように、共用宅配ボックス２にインターネット回線を設置することなく、携帯端末８（第１携帯端末８ａ、第２携帯端末８ｂ）を利用した態様で、共用宅配ボックス２への荷物の収納から受け取りまでを実現することができる。
【００６７】
なお、本実施形態は、以下のように変更して実施することができる。本実施形態及び以下の変更例は、技術的に矛盾しない範囲で互いに組み合わせて実施することができる。
・設備の利用手続きは、ユーザの正否を確認でき、かつ使用したい設備１やその使用日時を伝えることができれば、種々の態様が採用可能である。
【００６８】
・第１許可部２７による使用許可をユーザに対するものとし、第２許可部２８による使用許可を業者に対するものとしてもよい。この場合、例えばユーザが共用宅配ボックス２に荷物を預け入れ、それを業者が受け取る態様とすることができる。
【００６９】
・第１許可部２７及び第２許可部２８は、データセンター１０以外の箇所に設けられてもよい。
・宅配業者による荷物の収納が完了したことは、ユーザの携帯端末８上で、どのように通知してもよい。
【００７０】
・ユーザによる荷物の受け取りが完了したことは、宅配業者の携帯端末８上で、どのように通知してもよい。
・認証装置１１は、設備１に後付けされる構成、或いは設備１に予め組み付いている構成のいずれでもよい。
【００７１】
・認証装置１１の搭載場所は、設備１のいずれの場所であってもよい。
・設備１の予約手続きは、携帯端末８で行われることに限らず、別の端末で実行されてもよい。
【００７２】
・鍵情報Ｄｋは、ワンタイムキーに限定されず、使用に時間制限の要素が入っている情報であればよい。
・鍵情報Ｄｋに含ませる内容は、実施形態以外の態様に変更可能である。
【００７３】
・鍵情報Ｄｋは、データセンター１０で生成されることに限定されず、外部であれば、どの場所でもよい。
・携帯端末８は、高機能携帯電話に限定されず、種々の端末に変更可能である。
【００７４】
・携帯端末８や認証装置１１は、ユーザ認証鍵をどのような手順や方式で取得してもよい。
・制御処理部２２の有効への切り替えは、何を条件としてもよい。
【００７５】
・近距離無線通信は、ブルートゥース通信に限定されず、他の通信方式に変更可能である。
・携帯端末８及び認証装置１１の間の通信、携帯端末８及びデータセンター１０の間の通信は、種々の周波数、通信方式が適用可能である。
【００７６】
・認証や暗号通信に使用する暗号鍵は、例えば鍵情報Ｄｋ、認証装置固有鍵、ユーザ認証鍵、キー固有鍵のうち、どの鍵を使用してもよい。例えば、処理の途中で使用する暗号鍵を切り替えれば、通信のセキュリティ性を確保するのに有利となる。また、使用する暗号鍵は、前述した鍵に限定されず、種々のものに変更してもよい。
【００７７】
・認証装置１１及びコントローラ２１の通信は、有線及び無線のどちらでもよい。
・設備１は、共用宅配ボックス２に限定されず、例えば民泊等で使用される宿泊施設、時間貸し駐車場など、他のサービス機器に変更可能である。
【００７８】
・機器７は、ロッカー３に限定されず、車両などの他の部材に変更可能である。
【符号の説明】
【００７９】
１…設備、２…共用宅配ボックス、３…ロッカー、３ａ…収納先ロッカー、７…機器、８…携帯端末、８ａ…第１携帯端末、８ｂ…第２携帯端末、９…共用システム、１０…データセンター、１１…認証装置、２７…第１許可部、２８…第２許可部、Ｄｋ…鍵情報、Ｄｋ１…第１鍵情報、Ｄｋ２…第２鍵情報。
【図１】
2019191884.tif 000003
【図２】
2019191884.tif 000004
【図３】
2019191884.tif 000005
【図４】
2019191884.tif 000006